【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
コンピュータによって実現される、ルーティング情報を提供する方法であって、
ルーティング情報を要求するリクエストであって少なくとも1つの不確かな場所を指定するリクエストを、コンピュータによって、受け取るステップと、
前記不確かな場所にマッチしている可能性がある場所を、コンピュータによって、見つけ出すステップと、
任意の測定尺度に基づいて前記マッチしている可能性がある場所を、コンピュータによって、順位付けするステップと、
前記マッチしている可能性がある場所のうち最上位に順位付けされた場所についてのルーティング情報を、コンピュータによって、提供するステップと、
を具備する方法。
【請求項２】
前記測定尺度が距離であり、前記順位付けするステップが、
前記不確かな場所にマッチしている可能性がある各場所とその他の場所との間の距離を算出するステップと、
前記マッチしている可能性がある場所とその他の場所との間の距離に基づいて、前記マッチしている可能性がある場所を順位付けするステップと、
からなる請求項1に記載の方法。
【請求項３】
前記マッチしている可能性がある場所のうち最上位に順位付けされた場所が、前記その他の場所に最も近い距離を有するものである請求項2に記載の方法。
【請求項４】
前記測定尺度が、前記マッチしている可能性がある場所の人口である請求項1に記載の方法。
【請求項５】
前記測定尺度が、前記マッチしている可能性がある場所がルーティングリクエストに現れる頻度である請求項1に記載の方法。
【請求項６】
前記順位付けするステップが、
前記リクエストにおいて指定されている場所に基づいて、各々が前記不確かな場所にマッチしている可能性がある少なくとも1つの場所を含む複数ペアの場所を発生するステップと、
前記複数ペアにおける場所の間の距離を算出するステップと、
算出された前記距離に基づいて前記複数ペアを順位付けするステップと、
からなる請求項1に記載の方法。
【請求項７】
前記ルーティング情報が、運転方向、列車の運行スケジュール、バスの運行スケジュールおよび飛行スケジュールからなる情報組のうちの1つまたは複数の種類の情報からなる請求項1に記載の方法。
【請求項８】
ルーティング情報を提供するシステムであって、
コンピュータ読み取り可能な記憶媒体を具備し、この記憶媒体は、
ルーティング情報を要求するリクエストであって少なくとも1つの不確かな場所を指定するリクエストを受け取るリクエスト受け取りモジュールと、
前記不確かな場所にマッチしている可能性がある場所を見つけ出す場所検索モジュールと、
任意の測定尺度に基づいて前記マッチしている可能性がある場所を順位付けする不確か場所順位付けモジュールと、
前記マッチしている可能性がある場所のうち最上位に順位付けされた場所についてのルーティング情報を提供する報告モジュールと、
を含む実行可能なコンピュータプログラムモジュールを記憶した記憶媒体であり、
かつ、前記コンピュータプログラムモジュールを実行するプロセッサ、
を具備することを特徴とするシステム。
【請求項９】
前記測定尺度が距離であり、前記不確か場所順位付けモジュールが、さらに、
前記不確かな場所にマッチしている可能性がある各場所とその他の場所との間の距離を算出し、
前記マッチしている可能性がある場所とその他の場所との間の距離に基づいて、前記マッチしている可能性がある場所を順位付けする、
よう構成されていることを特徴とする請求項8に記載のシステム。
【請求項１０】
前記マッチしている可能性がある場所のうち最上位に順位付けされた場所が、前記その他の場所に最も近い距離を有するものである請求項9に記載のシステム。
【請求項１１】
前記測定尺度が、前記マッチしている可能性がある場所の人口である請求項8に記載のシステム。
【請求項１２】
前記測定尺度が、前記マッチしている可能性がある場所がルーティングリクエストに現れる頻度である請求項8に記載のシステム。
【請求項１３】
前記不確か場所順位付けモジュールが、さらに、
前記リクエストにおいて指定されている場所に基づいて、各々が前記不確かな場所にマッチしている可能性がある少なくとも1つの場所を含む複数ペアの場所を発生し、
前記複数ペアにおける場所の間の距離を算出し、
算出された前記距離に基づいて前記複数ペアを順位付けする、
よう構成されていることを特徴とする請求項8に記載のシステム。
【請求項１４】
前記ルーティング情報が、運転方向、列車の運行スケジュール、バスの運行スケジュールおよび飛行スケジュールからなる情報組のうちの1つまたは複数の種類の情報からなる請求項8に記載のシステム。
【請求項１５】
ルーティング情報を提供するための実行可能なコンピュータプログラムコードを格納したコンピュータによって読み取り可能な記憶媒体であって、
ルーティング情報を要求するリクエストであって少なくとも1つの不確かな場所を指定するリクエストを受け取るリクエスト受け取りモジュールと、
前記不確かな場所にマッチしている可能性がある場所を見つけ出す場所検索モジュールと、
任意の測定尺度に基づいて前記マッチしている可能性がある場所を順位付けする不確か場所順位付けモジュールと、
前記マッチしている可能性がある場所のうち最上位に順位付けされた場所についてのルーティング情報を提供する報告モジュールと、
を含むプログラムモジュールを記憶してなる記憶媒体。
【請求項１６】
前記測定尺度が距離であり、前記不確か場所順位付けモジュールが、さらに、
前記不確かな場所にマッチしている可能性がある各場所とその他の場所との間の距離を算出し、
前記マッチしている可能性がある場所とその他の場所との間の距離に基づいて、前記マッチしている可能性がある場所を順位付けする、
よう構成されていることを特徴とする請求項15に記載の記憶媒体。
【請求項１７】
前記マッチしている可能性がある場所のうち最上位に順位付けされた場所が、前記その他の場所に最も近い距離を有するものである請求項16に記載の記憶媒体。
【請求項１８】
前記測定尺度が、前記マッチしている可能性がある場所の人口である請求項15に記載の記憶媒体。
【請求項１９】
前記測定尺度が、前記マッチしている可能性がある場所がルーティングリクエストに現れる頻度である請求項15に記載の記憶媒体。
【請求項２０】
前記不確か場所順位付けモジュールが、さらに、
前記リクエストにおいて指定されている場所に基づいて、各々が前記不確かな場所にマッチしている可能性がある少なくとも1つの場所を含む複数ペアの場所を発生し、
前記複数ペアにおける場所の間の距離を算出し、
算出された前記距離に基づいて前記複数ペアを順位付けする、
よう構成されていることを特徴とする請求項15に記載の記憶媒体。
【請求項２１】
前記ルーティング情報が、運転方向、列車の運行スケジュール、バスの運行スケジュールおよび飛行スケジュールからなる情報組のうちの1つまたは複数の種類の情報からなる請求項15に記載の記憶媒体。
【請求項２２】
前記不確かな場所とは、前記ルーティング情報が要求されたルートの始点場所又は終点場所である請求項1に記載の方法。
【請求項２３】
コンピュータによって実現される、ルーティング情報を提供する方法であって、
ルーティング情報を要求するリクエストであって少なくとも1つの不確かな場所を指定するリクエストを、コンピュータによって、受け取るステップと、
前記不確かな場所にマッチしている可能性がある場所を、コンピュータによって、見つけ出すステップと、
任意の測定尺度に基づいて前記マッチしている可能性がある場所を、コンピュータによって、順位付けするステップと、
前記順位付けに基づいて前記マッチしている可能性がある場所を、コンピュータによって、選択するステップと、
前記選択された場所についてのルーティング情報を、コンピュータによって、提供するステップと、
を具備する方法。